(57)【要約】【課題】  通話路形成操作を最初に行うことなく、ＩＰ端末からインターホン機器を操作でき、更にインターホン機器からＩＰ端末に送信されたコマンドを、応答操作する前に表示により認識可能とする。【解決手段】  インターホン親機がＩＰ変換アダプタ３を介してＳＩＰサーバとＬＡＮ接続され、無線ルータを介してＩＰ端末と通信を可能とし、ＩＰ変換アダプタ３に、インターホン機器の種類或いは機能を識別するための内線名を登録した内線名付与テーブル２５ｂを設けた。ＳＩＰサーバには、ＩＰ変換アダプタ３の内線名付与テーブルに登録されている内線名を記憶する内線名記憶部が設けられ、内線名記憶部に記憶されている内線名から成るコマンドがＩＰ端末から送信されたら、通信を許可して受信したコマンドをＩＰ変換アダプタ３に送信する。【選択図】  図３
2010177933.tif 000002
【特許請求の範囲】
【請求項１】
居住者を呼び出す機能を備えたインターホン子機、及び前記インターホン子機からの呼び出しに応答する機能を備えたインターホン親機等のインターホン機器と、
前記インターホン親機とＩＰ通信を実施するためのＩＰ端末と、
前記インターホン親機と前記ＩＰ端末との通信を可能とするためにインターホン用コマンドとＩＰ通信コマンドとを変換するコマンド変換制御部を有するＩＰ変換アダプタと、
前記ＩＰ変換アダプタと前記ＩＰ端末との通信をＳＩＰにより実施するＳＩＰサーバとを備え、
前記インターホン親機は、自親機及び接続されている他のインターホン機器毎に、種類或いは機能別にＩＤを付与するためのＩＤ付与部と、付与したＩＤ情報を前記ＩＰ変換アダプタに送信するＩＤ情報送信部を備える一方、
前記ＩＰ変換アダプタは、前記ＩＰ端末が前記インターホン機器の種類或いは機能を識別するための内線名を多数登録した内線名テーブルと、前記インターホン機器に付与されたＩＤと内線名の関係を登録した内線名付与テーブルと、前記インターホン親機から受信した前記ＩＤと前記内線名テーブルとを照合して種類或いは機能が一致したＩＤと内線名の組を前記内線付与テーブルに記憶させ、記憶した内線名を前記ＳＩＰサーバへ送信する内線名登録制御部とを備え、
更に前記ＳＩＰサーバは、前記ＩＰ変換アダプタから受信した前記内線名を記憶する内線名記憶部と、前記内線名記憶部に記憶されている内線名から成るコマンドが前記ＩＰ端末から送信されたら、通信を許可して受信したコマンドを前記ＩＰ変換アダプタに送信する通信許可手段と、を備えたことを特徴とするインターホンシステム。
【請求項２】
ＩＰ変換アダプタの前記コマンド変換制御部は、前記インターホン機器から前記ＩＰ端末に出されたコマンドに対して、前記内線名付与テーブルに登録された内線名を付与して前記ＳＩＰサーバに送信し、
前記ＩＰ端末は、受信したコマンドに付与されている内線名を表示する表示部を有することを特徴とする請求項１記載のインターホンシステム。
【発明の詳細な説明】
【技術分野】
【０００１】
本発明はインターホンシステムに関し、特にインターホン親機に無線或いは有線でＩＰ端末を接続して、インターホンの呼び出し／通話機能、更にはモニタ等の機能をＩＰ端末に持たせたインターホンシステムに関する。
【背景技術】
【０００２】
従来よりＩＰ通信を実施するＩＰ携帯端末やＩＰ電話等のＩＰ端末と、インターホン親機とを無線或いは有線で接続して通信を可能とし、玄関に設置されたインターホン子機からの呼び出しにＩＰ端末を使用して応答可能としたインターホンシステムがある。例えば、特許文献１に記載されたインターホンシステムでは、室内親機（インターホン親機）にゲートウェイ、ＨＵＢ、ＩＰ電話回線終端装置を接続して、携帯電話網を介して携帯端末（ＩＰ端末）と通信を可能とている。
その結果、インターホン子機からの呼び出しに対してＩＰ端末から応答することができるし、ＩＰ端末の操作でインターホン子機のカメラを起動させ玄関の状態をモニタすることを可能としている。
【先行技術文献】
【特許文献】
【０００３】
【特許文献１】特開２００７−２７４１１７号公報
【発明の概要】
【発明が解決しようとする課題】
【０００４】
しかしながら、上記従来のインターホンシステムでは、ＩＰ端末からインターホン機器を操作する場合、一度インターホン親機を呼び出して通信が可能な状態になったのを確認したのちにＤＴＭＦ信号等の操作信号を送信して、モニタ制御や電気錠の施解錠制御等を行っていた。そのため、ＩＰ端末の操作を２段階で行う必要があり、操作者にとっては操作する回数が多く使い勝手が悪いものであった。
また、従来のインターホンシステムでは、インターホン親機からＩＰ端末に呼出信号等のコマンドが送信された際、ＩＰ端末では受信したコマンドがインターホン子機からの呼出信号なのか、他の信号なのか応答操作するまで知ることができなかった。
【０００５】
そこで、本発明はこのような問題点に鑑み、通話路形成操作を最初に行うことなく、ＩＰ端末からインターホン機器を操作でき、更にインターホン機器からＩＰ端末に送信されたコマンドを、応答操作する前に表示により認識可能とするインターホンシステムを提供することを目的とする。
【課題を解決するための手段】
【０００６】
上記課題を解決する為に、請求項１の発明は、居住者を呼び出す機能を備えたインターホン子機、及びインターホン子機からの呼び出しに応答する機能を備えたインターホン親機等のインターホン機器と、インターホン親機とＩＰ通信を実施するためのＩＰ端末と、インターホン親機とＩＰ端末との通信を可能とするためにインターホン用コマンドとＩＰ通信コマンドとを変換するコマンド変換制御部を有するＩＰ変換アダプタと、ＩＰ変換アダプタとＩＰ端末との通信をＳＩＰにより実施するＳＩＰサーバとを備え、インターホン親機は、自親機及び接続されている他のインターホン機器毎に、種類或いは機能別にＩＤを付与するためのＩＤ付与部と、付与したＩＤ情報をＩＰ変換アダプタに送信するＩＤ情報送信部を備える一方、ＩＰ変換アダプタは、ＩＰ端末がインターホン機器の種類或いは機能を識別するための内線名を多数登録した内線名テーブルと、インターホン機器に付与されたＩＤと内線名の関係を登録した内線名付与テーブルと、インターホン親機から受信したＩＤと内線名テーブルとを照合して種類或いは機能が一致したＩＤと内線名の組を内線付与テーブルに記憶させ、記憶した内線名をＳＩＰサーバへ送信する内線名登録制御部とを備え、更にＳＩＰサーバは、ＩＰ変換アダプタから受信した内線名を記憶する内線名記憶部と、内線名記憶部に記憶されている内線名から成るコマンドがＩＰ端末から送信されたら、通信を許可して受信したコマンドをＩＰ変換アダプタに送信する通信許可手段と、を備えたことを特徴とする。
【０００７】
この構成によれば、ＩＰ変換アダプタにはインターホン機器の種類或いは機能別で分類されるＩＤと内線名の組が登録され、ＳＩＰサーバには通信を許可する内線名が登録される。そのため、ＩＰ端末からインターホン機器と通信を実施する際、内線名による呼び出しが可能となり、通信路形成操作と所望する制御操作を同時に実施することが可能となる。その結果、従来のように居室親機等を呼び出して通話路を形成してからモニタ操作等の必要な指示コマンドを送信するような２段階操作をする必要無くなる。
尚、インターホン機器とは、インターホン子機、インターホン親機を少なくとも１台は含むし、例えばインターホン親機と通信を可能とした電気錠やセキュリティ機器、センサカメラ等も含むものである。
【０００８】
請求項２の発明は、請求項１に記載の構成において、ＩＰ変換アダプタのコマンド変換制御部は、インターホン機器からＩＰ端末に出されたコマンドに対して、内線名付与テーブルに登録された内線名を付与してＳＩＰサーバに送信し、ＩＰ端末は、受信したコマンドに付与されている内線名を表示する表示部を有することを特徴とする。
この構成によれば、インターホン機器からコマンドを受信した段階で、ＩＰ端末には着信表示としてコマンド送信元の機器情報や機能情報が表示される。よって、ＩＰ端末使用者は応答操作する前に、送信元を把握でき対応し易い。
【発明の効果】
【０００９】
本発明によれば、ＩＰ端末からインターホン機器と通信を実施する際、内線名による呼び出しが可能となり、通信路形成操作と所望する制御操作を同時に実施することが可能となる。その結果、従来のように居室親機等を呼び出して通話路を形成してからモニタ操作等の必要な指示コマンドを送信するような２段階操作をする必要が無くなる。
また、インターホン機器からコマンドを受信した段階で、ＩＰ端末には着信表示としてコマンド送信元の機器情報や機能情報を表示することができ、ＩＰ端末使用者は応答操作する前に、送信元を把握でき対応し易い。
【図面の簡単な説明】
【００１０】
【図１】本発明に係るインターホンシステムの一例を示す構成図である。
【図２】インターホン親機のブロック図である。
【図３】ＩＰ変換アダプタのブロック図である。
【図４】（ａ）は内線名テーブル、（ｂ）は内線名付与テーブルである。
【図５】ＳＩＰサーバのブロック図である。
【発明を実施するための形態】
【００１１】
以下、本発明を具体化した実施の形態を、図面に基づいて詳細に説明する。図１は、本発明に係るインターホンシステムを示すシステム構成図であり、１（１ａ，１ｂ）は玄関等に設置されて居住者を呼び出すためのインターホン子機（以下、単に「子機」と称する。）、２はインターホン子機１からの呼び出しに応答するためのインターホン親機（以下、単に「親機」と称する。）、３はインターホン用プロトコルとＩＰ（Ｉｎｔｅｒｎｅｔ  Ｐｒｏｔｏｃｏｌ）とを相互に変換するＩＰ変換アダプタ、４はＩＰ変換アダプタ３とネットワーク機器との通信をＳＩＰ（Ｓｅｓｓｉｏｎ  Ｉｎｉｔｉｅｔｉｏｎ  Ｐｒｏｔｏｃｏｌ）により実施するためのＳＩＰサーバ、５は無線通信により接続されるネットワーク機器と通信するための無線ルータ、６は無線によりＩＰ通信を行うＩＰ携帯端末(ＩＰ端末)、７は玄関扉に組み込まれた電気錠、８は火災感知器等のセキュリティ機器を示している。
【００１２】
子機１、電気錠７、セキュリティ機器８、ＩＰ変換アダプタ３は、夫々伝送線Ｌ１〜Ｌ５を介して親機２に接続され、無線ルータ５はＩＰ変換アダプタ３及びＳＩＰサーバ４にＬＡＮ配線Ｌ６，Ｌ７により接続されている。尚、この実施形態では、ＩＰ端末６を無線通信を行う携帯端末としているが、有線により通信を行う構成であっても良く、その場合は無線ルータ５に代えてＨＵＢが使用できる。
【００１３】
子機１のうち、１ａは来訪者を撮像するためのカメラ１１を備えたカメラ付子機、１ｂは呼び出し及び通話機能のみ備えた子機を示し、１２は呼出ボタンを示している。親機２は、カメラ付子機１ａのカメラ１１が撮像した映像を表示するモニタ１４、呼び出しに対する応答操作を行う通話ボタン１５、電気錠７を解錠する解錠ボタン１６等が設けられ、モニタ１４には各種操作を行うためのタッチパネル１４ａが取り付けられている。また、ＩＰ端末６は映像や文字情報を表示する表示部６ａ、テンキー等の入力ボタンから成る操作部６ｂを有している。
【００１４】
図２は、親機２の要部回路をブロック図を示している。この図２に示すように、親機２は、子機１からの呼び出しに応答する機能、及び電気錠７を解錠する機能、更にカメラ付子機１ａの撮像映像をモニタ１４に出画する機能に加えて、子機１や電気錠７の接続を検知する接続機器検知部１７、接続されたインターホン機器にＩＤを付与するＩＤ付与部１８、ＩＰ変換アダプタ３と通信するコマンド送受信部１９、親機２全体を制御すると共に親機２及び親機２に接続されているインターホン機器に付与されたＩＤをＩＰ変換アダプタ３に送信制御するＩＤ情報送信部２０ａでもある親機ＣＰＵ２０を備えている。
以下、子機１、親機２、及び親機２に接続されている電気錠７、セキュリティ機器８等を一括してインターホン機器として説明する。
【００１５】
図３は、ＩＰ変換アダプタ３のブロック図を示し、個々のインターホン機器に付与するための多数の内線名が登録された内線名テーブル２５ａ、及びインターホン機器ＩＤと内線名の関係を記憶する内線名付与テーブル２５ｂを記憶するＩＰ変換アダプタ記憶部２５、親機２と通信するためのコマンド送受信部２７、ＳＩＰサーバと通信するためのＬＡＮ送受信部２８、ＩＰ変換アダプタ３を制御するＩＰ変換アダプタＣＰＵ２９等を備えている。
そして、ＩＰ変換アダプタＣＰＵ２９は、インターホン機器とＩＰ端末６との通信を行うために相互の信号を変換するコマンド変換制御部２９ｂであると共に、親機２から受信したインターホン機器ＩＤと内線名テーブル２５ａの情報とを比較して、種類或いは機能情報が一致したＩＤと内線名の関係を内線名付与テーブル２５ｂに登録し、登録した内線名をＳＩＰサーバ４へ送信する内線名登録制御部２９ａでもある。
【００１６】
図４（ａ）は内線名テーブル２５ａの内容を示し、図４（ｂ）は内線名付与テーブル２５ｂの内容を示している。内線名テーブル２５ａには「ｋｏｋｉｌ」等の種類別名称、「ａｌｅｒｔ」及び「ｍｏｎｉｔｏｒ」等の機能別名称が多数設定されて記憶されている。一方、内線名付与テーブル２５ｂには、関連付けられたインターホン機器と内線名の関係が記憶されている。
例えば、子機１ｂからの呼出信号（玄関呼出）に付されたＩＤが例えば「００１」であり、この機器の内線名には「ｋｏｋｉ１」が関連付けられる。また、セキュリティ機器８の警報発報に付されたＩＤが例えば「０１１」であり、この機器の内線名には「ａｌｅｒｔ」が関連付けられていることを示している。更に、カメラ付子機１ａのモニタ機能に付されたＩＤが例えば「００２」であり、この機能の内線名には「ｍｏｎｉｔｏｒ」が関連付けられ、記憶される。
【００１７】
こうして、内線名テーブル２５ａには、親機２に接続される可能性のあるインターホン機器、及びインターホン機器に関連する多数の機能が記憶され、実際に接続された機器の種別、機能が選択されてＩＤに関連付けられ、内線名付与テーブル２５ｂに記憶される。
【００１８】
図５はＳＩＰサーバ４の回路ブロック図を示し、ＩＰ変換アダプタ３においてＩＤに関連付けられて登録された内線名が登録された内線名記憶部３１、接続機器間の通信を制御するサーバＣＰＵ３２、無線ルータ５と通信するＬＡＮ送受信部３３等を備えている。
【００１９】
上記の如く構成されたインターホンシステムにおいて、設定操作は以下のように行われる。最初にインターホン機器の夫々に対して種別ＩＤ及び機能ＩＤを付与する。
具体的に、親機２に接続されたインターホン機器は、接続機器検知部１７により検知され、ＩＤ付与部１８の操作を受けて、カメラ付子機１ａ、子機１ｂ、電気錠７、親機２自身の夫々に、種類或いは機能に合わせて所定のＩＤが付与される。付与されたＩＤ情報は、親機ＣＰＵ２０の制御によりＩＰ変換アダプタ３に送信される。尚、付与されるＩＤは、機器の種類毎に或いは機能毎に決められており、所定のルールに従って付与される。
【００２０】
ＩＰ変換アダプタ３では、ＩＤ付与操作を受けて送信されたＩＤ情報を、コマンド変換制御部２９ａが受信し、インターホン用コマンドからＳＩＰコマンドへ変換する。
その後、内線名登録制御部２９ａにおいて、受信したインターホン機器のＩＤ情報を基に内線名テーブル２５ａの登録情報と比較し、割り当てることが可能な内線名があるか比較制御する。この結果、割り当てることができる内線名があれば、内線名付与テーブル２５ｂにＩＤと内線名の関係を登録する。同時に、登録した内線名をＬＡＮ送受信部２８からＳＩＰサーバ４に送信する。
ＳＩＰサーバ４では、ＬＡＮ送受信部３３を介してサーバＣＰＵ３２が受信した内線名を、内線名記憶部３１に登録する。この結果、内線番号記憶部３１には、「ｋｏｋｉ１」、「ｍｏｎｉｔｏｒ」等の内線名が登録される。
【００２１】
一方、ＩＰ端末６側も、自身に対応する内線名を無線ルータ５を介してＳＩＰサーバ４に送信し、例えば内線名「１０１」が登録される。尚、内線名は識別可能な情報であれば良く、このように数字列であっても良い。
【００２２】
こうして個々のインターホン機器の設定が成されたら、次のように呼出／応答動作する。最初に、子機１の操作による玄関呼出の動作を説明する。来訪者が子機１のうちカメラ付子機１ａの呼出ボタン１２を押すと、呼出信号が親機２に送信される。この呼出信号を受信した親機２は、親機ＣＰＵ２０が図示しないスピーカから呼出音を鳴動させる。合わせて、呼出操作により起動したカメラ１１の撮像映像が親機２に送信される。この映像信号を受けて、親機ＣＰＵ２０はモニタ１４に映像を表示させる。
更に、親機ＣＰＵ２０は、玄関呼出に対応するＩＤを付与した呼出コマンドを生成して、映像信号と合わせてＩＰ変換アダプタ３に送信する。
【００２３】
ＩＰ変換アダプタ３は、ＩＤが付与された呼出コマンドをコマンド送受信部２７を介してＩＰ変換アダプタＣＰＵ２９が受信したら、コマンド変換制御部２９ｂがインターホン用プロトコルからＩＰ信号に変換し、内線名付与テーブル２５ｂを参照して対応する内線名「ｋｏｋｉ１」）を付与する。こうして内線名が付与された呼出コマンドが、ＬＡＮ送受信部２８からＳＩＰサーバ４に送信される。また、このとき受信した映像信号も合わせて送信される。
【００２４】
ＳＩＰサーバ４は、ＬＡＮ送受信部３３を介してサーバＣＰＵ３２が呼出コマンドを受信したら、ＳＩＰコマンドに変換して無線ルータ５を介してＩＰ端末６に送信する。合わせて映像信号もＩＰ端末６の表示部６ａに表示できる形式に変換して送信する。
【００２５】
このコマンドを受信したＩＰ端末６は、呼出音等の呼出通知動作を行うと同時に、表示部６ａに受信したコマンドに付与されている内線名「ｋｏｋｉ１」を表示する。合わせて、受信した映像信号を基に表示部６ａに映像が表示される。こうして、ＩＰ端末６を携行している居住者は、表示から呼出通知が来訪者からの呼び出しがあることを認識できるし、表示された映像により来訪者を確認できる。
【００２６】
そして、親機２或いはＩＰ端末６の何れか先に応答操作された機器と、呼出信号を送信したカメラ付子機１ａとの間で通話路が形成され、居住者は来訪者と通話が可能となる。その後、終話操作することで、子機１及び応答操作した親機２或いはＩＰ端末６は待受状態に戻る。尚、カメラ１１を持たない子機１ｂが呼出操作された場合、呼出信号或いは呼出コマンドのみ親機２及びＩＰ端末６に送信され、映像の送信はない。
【００２７】
次に、ＩＰ端末６からカメラ付子機１ａのカメラを起動して、ＩＰ端末６にてカメラ付子機１ａが設置された玄関先をモニタする動作を説明する。ＩＰ端末６の操作部６ｂが操作されて、内線名「ｍｏｎｉｔｏｒ」が入力されると、無線ルータ５を介してＳＩＰサーバ４へ、「ｍｏｎｉｔｏｒ」に対応するＳＩＰの呼出信号が送信される。サーバＣＰＵ３２は、ＬＡＮ送受信部３３を介してＳＩＰ呼出信号を受信したら、内線名記憶部３１に登録されている内線名と比較する。内線名「ｍｏｎｉｔｏｒ」は登録されているので、ＩＰ変換アダプタ３に「ｍｏｎｉｔｏｒ」に対応するＳＩＰの呼出信号が送信される。
【００２８】
このＳＩＰ呼出信号を受信したＩＰ変換アダプタ３では、ＩＰ変換アダプタＣＰＵ２９の制御により、内線名付与テーブル２５ｂからモニタ機能を能動とするためのＩＤが読み出され、インターホン用プロトコルに変換したコマンドが親機２へ送信される。
【００２９】
親機２では、このモニタコマンドを受信したら、親機ＣＰＵ２０により解析されて、カメラ付子機１ａのカメラ１１を駆動する制御を行う。これにより、カメラ付子機１ａのカメラ１１で撮像された映像が、親機ＩＰ変換アダプタ３、無線ルータ５を介してＩＰ端末６に送信され、ＩＰ端末６の表示部６ａに表示される。尚、親機２からモニタ操作する場合は、モニタボタン（図示せず）が設けられているため、このボタンを操作することでカメラ１１が起動して親機モニタ１４に玄関映像が表示される。
【００３０】
このように、ＩＰ変換アダプタにはインターホン機器の種類或いは機能別で分類されるＩＤと内線名の組が登録され、ＳＩＰサーバには通信を許可する内線名が登録されるので、ＩＰ端末からインターホン機器と通信を実施する際、内線名による呼び出しが可能となり、通信路形成操作と所望する制御操作を同時に実施することが可能となる。その結果、従来のように居室親機等を呼び出して通話路を形成してからモニタ操作等の必要な指示コマンドを送信するような２段階操作をする必要無くなる。
また、インターホン機器からコマンドを受信した段階で、ＩＰ端末には着信表示としてコマンド送信元の機器情報や機能情報が表示されるので、ＩＰ端末使用者は応答操作する前に、送信元を把握でき対応し易い。
【００３１】
尚、上記実施形態において、ＳＩＰサーバ４を独立して設けているが、ＩＰ変換アダプタ３や無線ルータ５と一体にしてもよい。
また、このインターホンシステムは集合住宅インターホンシステムにも適用でき、その場合には、親機２に制御機を介して集合玄関機が接続される構成となり、この集合玄関機からの呼び出しに対してＩＰ端末６で応答できるし、集合玄関に設けられている扉の電気錠の解錠もＩＰ端末６を使用して行うことが可能である。
【符号の説明】
【００３２】
１（１ａ，１ｂ）・・インターホン子機、２・・インターホン親機、３・・ＩＰ変換アダプタ、４・・ＳＩＰサーバ、６・・ＩＰ端末、６ａ・・表示部、７・・電気錠、１１・・カメラ、１７・・接続機器検知部、１８・・ＩＤ付与部、１９・・コマンド送受信部、２０・・親機ＣＰＵ、２０ａ・・ＩＤ情報送信部、２５・・ＩＰ変換アダプタ記憶部、２５ａ・・内線名テーブル、２５ｂ・・内線名付与テーブル、２９・・ＩＰ変換アダプタＣＰＵ、２９ａ・・内線名登録制御部、２９ｂ・・コマンド変換制御部、３１・・内線名記憶部、３２・・サーバＣＰＵ（通信許可手段）。
【図１】
2010177933.tif 000003
【図２】
2010177933.tif 000004
【図３】
2010177933.tif 000005
【図４】
2010177933.tif 000006
【図５】
2010177933.tif 000007